(57)【要約】【課題】スピーカ作動時に振動板の裏側に発生する空気流を利用し、空気流を磁気回路全体に流速を早めて接触させ、磁気回路の熱を効果的に放熱することが可能なスピーカ装置を提供する。【解決手段】磁気回路と該磁気回路により振動する振動板を備えたスピーカ装置において、前記磁気回路を覆うカバー部体を備え、該カバー部体には、振動板の振動により振動板裏面側に発生する空気流を磁気回路の外周を経由して底面側に導き、底面側中央部位から放出する複数本の細長溝状のダクトを配している。【選択図】図５
2009124200.tif 000002
【特許請求の範囲】
【請求項１】
磁気回路と該磁気回路により振動する振動板とを備えたスピーカ装置において、前記磁気回路を覆うカバー部体を備え、該カバー部体には、振動板の振動時に該振動板の裏面側に発生する空気流を磁気回路の外周を経由して底面側に導き、底面側中央部位から放出する複数本の細長溝状のダクトを配していることを特徴とするスピーカ装置。
【請求項２】
前記ダクトを含むカバー部体は熱伝導率の高い部材で構成されていることを特徴とする請求項１に記載のスピーカ装置。
【請求項３】
前記カバー部体は磁気回路のマグネットおよびボトムヨークの外周に対峙する周壁と、該周壁の先端から屈曲してボトムヨークの底面に対峙する底壁とでカップ状をなし、各ダクトは前記カバー部体の周壁始端に一端が開口し、中間が底壁に沿って求心状に走り、他端がボトムヨークの底面中央部に位置する底壁の穴に開口するように壁厚さ方向に突出した凹入状リブとして構成されていることを特徴とする請求項１に記載のスピーカ装置。
【請求項４】
カバー部体は振動板を支持したスピーカフレームの後端側と連結されており、スピーカフレームの後端面部分には振動板の裏面側空間をカバー部体のダクトに通じさせるための通路を有していることを特徴とする請求項１〜３のいずれかに記載のスピーカ装置。
【発明の詳細な説明】
【技術分野】
【０００１】
本発明はスピーカ装置とりわけ磁気回路の高温化抑止効果の高いスピーカ装置に関する。
【背景技術】
【０００２】
ダイナミックスピーカで代表されるスピーカ装置は、周知のように、駆動部としてマグネットとボイスコイルを含む磁気回路を配し、電気信号によりボイスコイルにつながっている振動板を前後に振動させて音を出すようになっており、前記磁気回路は作動の持続ととともに昇温し、高温となる。
磁気回路の高温化は好ましいことではないが、従来のこの種のスピーカ装置においては、マグネットの外周面とマグネットを固定するヨークの底面および周側面を大気中に露出させているだけであった。これは、自然放熱に頼るものであり、空気の流動がないため効果的な放熱を行うことができず、ハイパワー化に対応することが困難であった。
【０００３】
特開平９−５５９９６公報には、反発磁気回路型スピーカにおいて、磁気回路部を固定するためのボックス状のホルダー外周に放熱フィンを設け、振動板を囲むスピーカフレームに放熱フィンに向いた開口を設けて、振動板の振動により発生する空気の流れを利用して磁気回路の放熱を行うことが開示されている。
しかし、この先行技術も、単に磁気回路の発生熱を間接的に放熱するにとどまるので、磁気回路の熱を効果的に冷却することが困難であった。
【特許文献１】特開平９−５５９９６公報
【発明の開示】
【発明が解決しようとする課題】
【０００４】
本発明は前記のような問題点を解消するためになされたもので、その目的とするところは、スピーカ作動時に振動板の裏面側に発生する空気流を利用し、空気流を磁気回路全体に流速を早めて接触させ、磁気回路の熱を効果的に放熱することが可能なスピーカ装置を提供することにある。
なお、本発明において「振動板」とは、振動板そのものとこれと関連つけられて背後にある振動部品を含む概念であり、したがって、「振動板の裏面側」とは、振動板そのものの裏面側はもとより、振動部品としてダンパーを有する場合にはこれの裏側を含む。
【課題を解決するための手段】
【０００５】
上記目的を達成するため本発明のスピーカ装置は、磁気回路と該磁気回路により振動する振動板を備えたスピーカ装置において、前記磁気回路を覆うカバー部体を備え、該カバー部体には、振動板の振動時に振動板の裏面側に発生する空気流を磁気回路の外周を経由して底面側に導き、底面側中央部位から放出する複数本の細長溝状のダクトを配していることを特徴としている。
【発明の効果】
【０００６】
本発明は、カバー部体を磁気回路を覆うように配置し、カバー部体に設けた細長溝状の複数のダクトが、振動板の振動時に振動板の裏面側に発生する空気流を磁気回路の外周を縦通して底面側に導き、この底面側中央部位から放出するので、振動板の裏面側に発生する空気流を巧みに利用して磁気回路全体に満遍なく接触させ、効果的に冷却することが可能となる。
【０００７】
また、磁気回路を冷却するためにはある程度早い空気の流速が必要となるが、ダクトを細長溝状(スリット状)に形成しているため、振動板の裏面側に発生した空気の流速が早められ、より高い放熱効果が得られる。
また、空気流を磁気回路の底面側中央部から排気させるので、ダクトを通った振動波（空気の流れ）が振動板の放射面（前面）側に回り込んで前面方向への放射音に影響を与えることが防止される。
【発明を実施するための最良の形態】
【０００８】
好適には、前記ダクトを含むカバー部体は熱伝導率の高い部材で構成されている。
これによれば、磁気回路の熱を効率よく奪って放熱することができる。
【０００９】
前記カバー部体は磁気回路のマグネットおよびボトムヨークの外周に対峙する周壁と、該周壁の先端から屈曲してボトムヨークの底面に対峙する底壁とでカップ状をなし、各ダクトは前記カバー部体の周壁始端に一端が開口し、中間が底壁に沿って求心状に走り、他端がボトムヨークの底面中央部に位置する底壁の穴に開口するように壁厚さ方向に突出した凹入状リブとして構成されている。
これによれば、空気流を、磁気回路外周を通して効果的にボトム側へ抜く的確な通路を形成できるとともに、ダクトがリブ形状をなしているため表面積が増し、磁気回路から奪った熱を効果的に放散することができる。
【００１０】
カバー部体は振動板を支持したスピーカフレームの後端側と連結されており、スピーカフレームの後端面部分には振動板の裏面側空間をカバー部体のダクトに通じさせるための通路を有している。
これによれば、振動板の振動時に振動板裏面側の空気を効果的にダクトへ供給して磁気回路の放熱に供させることができる。
【実施例１】
【００１１】
以下添付図面を参照して本発明の実施例を説明する。
図１〜図７は本発明にかかるスピーカ装置の第１実施例を示しており、１はスピーカ本体、２は合成樹脂製のスピーカフレーム、３はカバー部体である。
前記スピーカ本体１は磁気回路部４を有しており、該磁気回路部４は、図５のように、リング状のトッププレート５と、径の大きいプレート部を有しこれの中央からトッププレート５の穴に柱部が延出するボトムヨーク６と、これらトッププレート５とボトムヨーク６間に挟持されたリング状のマグネット７と、前記ボトムヨーク６の柱部に嵌まるボイスコイル８を備え、トッププレート５がスピーカフレーム２の底壁部２０にねじで固定されている。  
【００１２】
前記スピーカフレーム２内には、この実施例では、振動系として、コーン紙ごときからなる振動板９とダンパー１０が配され、振動板９の中央開口に前記ボイスコイル８のボビンが延在しており、前記振動板９を支えるダンパー１０は、スピーカフレーム２の底壁部前面側に対峙し、外径縁がスピーカフレーム２の後端側壁部２１に接続されている。
１１はイコライザーであり、前記ボトムヨーク６の柱部中心の雌ねじに螺合固定されている。  
【００１３】
以上の構成は従来のスピーカ装置と同様であるが、本発明は、前記振動板９の振動時にこれの裏面側（この実施例ではダンパー１０を有するのでこれの裏面側）に発生する空気流を利用して磁気回路部４の放熱を行なうべく、特殊な空気流誘導路構造を備えたカバー部体３を、前記磁気回路部４の主要部すなわちトッププレート５からボトムヨーク６を覆うようにスピーカフレーム２の背後に組付けている。
【００１４】
前記カバー部体３は、全体がアルミニウムなど熱伝導率の高い金属をプレス加工しあるいは鋳造するなどして構成されている。カバー部体３は、図５のように、前記磁気回路部４のマグネット７の外周面に接近する内径を有するとともに後端面がスピーカフレーム２の側壁部端面に当接する周壁部３０と、該周壁部の端から水平方向に屈曲してボトムヨーク６の底板部６０に接触する底壁部３１とでカップ状に構成されており、底壁部３１には、ボトムヨーク６の底板部中央部分に隆起された突台部６００に遊嵌する穴３１０が形成されている。
【００１５】
前記カバー部体３には、振動板９の裏面側に配される前記ダンパー１０の振動によりダンパー裏面側に発生する空気流を磁気回路部４の外周を縦通してボトムヨーク６の底面側に導き、最後に前記底面中央部位の穴３１０部位から放出する複数本の細長溝状のダクト３２を周方向で所定間隔を置いて複数本配している。この実施例では８本であるが、これよりも多くても少なくてもよい。
各ダクト３２は、図２〜図６のように、周壁部３０と底壁部３１の壁厚さ方向特に外面側に突出し内部が所定深さで凹入状となったリブの形態をなしており、各ダクト３２は、軸線方向では基端が前記カバー部体３の周壁始端に開口し、周壁部３０の高さ方向に延びた後に屈曲し、底壁部３１に沿って求心状に走り、先端がボトムヨーク６の底面中央部域に対応した底壁の穴３１０に開口している。
【００１６】
前記カバー部体３は、図３と図６のように、ダクト３２と同様な形状をなした複数本の中実リブ３３を間隔をおいて複数本配設しており、それら中実リブ３３には、図４のようにスピーカフレーム２の後端側壁部２１に向って延びるねじ挿入用の座付き通孔３３０が穿設されており、前記後端側壁部２１には図５のように雌ねじ穴２１０が設けられていて、座付き通孔３３０に挿入した固定ねじ１２を雌ねじ穴２１０ねじ込むことでカバー部体３はスピーカフレーム２と一体に組み付けられている。
【００１７】
スピーカフレーム２は、後端側壁部２１の外径側に前記カバー部体３のダクト３２および中実リブ３３に対応する間隔でリブ２３を配設しており、それらリブ２３は前方に延出して振動板９のエッジ９０を載置固定するフランジの内径部分と連結する一方、前記リブ２３の端面にダクト３２および中実リブ３３の基端が当接する関係となっている。
そして、前記リブ２３よりも内径側のスピーカフレームの底壁部２０には、図４と図５のように、後端側壁部の近傍など周縁部域に、前記ダンパー１０の裏側空間をカバー部体３内に通じさせるための通路としての穴２４を複数箇所開口させている。
【００１８】
第１実施例のスピーカ装置の作用を説明すると、電気信号により磁気回路部４が作動し、ボイスコイル８の駆動により振動板９およびダンパー１０が振動する。
こうしたスピーカの動作時にダンパー１０の動きを良くし、空気層がダンパー１０の動きを妨げる抵抗にならないようにするため、ダンパーの裏側の空気をスピーカフレーム外に抜くことは知られているが、本発明は、こうしたダンパー１０の裏側の空気層のスピーカ外部への抜きをやめ、スピーカフレーム２の底壁部周縁部位に形成してある複数の穴２４を通してカバー部体３内に放出させ、磁気回路部４の積極的な空冷を行なうものである。
【００１９】
図７はダンパー背後の空気流の流れを示しており、カバー部体３の周壁部３０は複数の溝状のダクト３２が周方向で間隔をおいて配され、カバー部体内に開口しているので、前記のように穴２４から放出された空気は、ダクト３２によって、磁気回路部４の外周、すなわちトッププレート５の外周面、マグネット７の外側面およびボトムヨーク６の外周面と接触しながら軸線方向に流れ、それから屈曲して底壁部３１とボトムヨーク６の底板部外面間に沿って求心状に流れ、ボトムヨーク底板部中央の突台部６００を囲んでいる穴３１０から外部に放出される。そして、振動振幅の戻り側では外気が穴３１０から吸い込まれ、磁気回路外周を通ってダンパーの裏側へと送られ、呼吸作用が行なわれる。
【００２０】
このように、ダンパー背後の空間を磁気回路部４の外周を通して流通させるので、磁気回路全体を万遍なく冷却することが可能であり、しかもそうした空気流を導く経路がダクト３２という細い溝形状（スリット）であるため、空気の流速が上げられ、放熱効果を更に向上することが可能である。振動板９の動きが大きくなるに従い磁気回路部４から放出される熱量も増えるが、ダンパー裏からの空気の流動量も増え、前記のように早い流速で磁気回路部４の外周を通過させるため放熱効果も向上する。
【００２１】
また、カバー部体３はアルミニウムなどの熱伝導率の高い材料で構成される上に、ダクト３２がリブとして立体状に成形されていることにより表面積が増しており、ダクト３２を構成していない部分３０，３１がボトムヨーク６の外周面と底面に接触ないしは近接しているので、これからの放熱効果も期待でき、磁気回路全体を万遍なく冷却することが可能である。
【実施例２】
【００２２】
図８は本発明の第２実施例を示している。この実施例は、たとえばツイータのようにダンパーを備えない形式のスピーカであり、第１実施例におけるダンパー１０の代わりに、トッププレート５の下面内径部とボトムヨーク６の柱部外周面とマグネット内径面で囲まれた環状空隙およびボイスコイル８とイコライザー１１との間にできる空隙に磁性流体１３を充填している。
【００２３】
本発明はかかるダンパーレススピーカにも適用され、スピーカフレーム２の底壁部２０における後端側壁部の近傍など周縁部域に、振動板９の裏側空間をダイレクトにカバー部体３内に通じさせるための通路としての穴２４を複数箇所開口させ、カバー部体３には、振動板９の振動によりこれの裏面側に発生する空気流を磁気回路部４の外周を縦通してボトムヨーク６の底面側に導き、最後に前記底面中央部位の穴３１０部位から放出する複数本の細長溝状のダクト３２を周方向で所定間隔を置いて複数本配している。
その他の構成は第１実施例と同様であるから説明は援用するものとし、同じ部分に同じ符号を付す。
【００２４】
第２実施例の作用は第１実施例と同様であり、振動板９の背後の空間を磁気回路部４の外周を通して流通させるので、磁気回路全体を万遍なく冷却することが可能であり、しかもそうした空気流を導く経路がダクト３２という細い溝形状（スリット）であるため、空気の流速が上げられ、放熱効果を更に向上することが可能である。
【図面の簡単な説明】
【００２５】
【図１】本発明にかかるスピーカ装置の第１実施例を正面側から見た斜視図である。
【図２】本発明にかかるスピーカ装置の第１実施例を背面側から見た斜視図である。
【図３】第１実施例の分解状態を正面側から示す斜視図である。
【図４】第１実施例の分解状態を背面側から示す斜視図である。
【図５】図２のＸ−Ｘ線に沿う断面図である。
【図６】図５のＹ−Ｙ線に沿う断面図である。
【図７】（ａ）は第１実施例における放熱経路を示す断面図、(ｂ)は放熱経路を示す部分切欠斜視図である。
【図８】本発明の第２実施例を示す断面図である。
【符号の説明】
【００２６】
２  スピーカフレーム  
３  カバー部体
４  磁気回路部
５  トッププレート
６  ボトムヨーク
７  マグネット
９  振動板
１０  ダンパー  
２４  穴
３０  側壁部
３１  底壁部
３１０  穴
【図１】
2009124200.tif 000003
【図２】
2009124200.tif 000004
【図３】
2009124200.tif 000005
【図４】
2009124200.tif 000006
【図５】
2009124200.tif 000007
【図６】
2009124200.tif 000008
【図７】
2009124200.tif 000009
【図８】
2009124200.tif 000010